(57)【特許請求の範囲】
【請求項１】
凍結乾燥してなる水溶性の多孔質体からなるシート状化粧料を収納ケースから取り出すための取り出し具であって、
手で把持するための持ち手部と、
前記持ち手部を成形する金型のパーティングラインに沿って、該持ち手部の先端部に一体成形した突起からなり、前記シート状化粧料に突き刺して、該シート状化粧料を保持する刺突部と、
を備えた、ことを特徴とするシート状化粧料取り出し具。
【発明の詳細な説明】
【技術分野】
【０００１】
本発明は、凍結乾燥してなる水溶性の多孔質体からなるシート状化粧料を収納ケースから取り出すためのシート状化粧料取り出し具に関する。
【背景技術】
【０００２】
コラーゲンなどの保湿成分の水溶液を凍結乾燥することで製作した、水溶性の多孔質体からなるシート状化粧料が提案されている（例えば、特許文献１参照。）。このシート状化粧料を使用する際には、例えば目尻や眉間、目の下や額、口元など、皺やしみが発生し易い箇所に、化粧水を塗布した後、該化粧水を塗布した箇所にシート状化粧料を載せて、シート状化粧料を化粧水で溶かして、保湿成分を皮膚に浸透させることになる。
【先行技術文献】
【特許文献】
【０００３】
【特許文献１】特開平１１−２７９２９６号公報
【発明の概要】
【発明が解決しようとする課題】
【０００４】
ところで、このシート状化粧料は、直径１ｃｍ、厚さ１ｍｍ程度の小さな円板状のものでも、１０００円以上もする高価なものであるが、大変軽量な多孔質体であり、しかも僅かな力を加えるだけで潰れてしまうことから、十分に注意しながら指で摘んだ場合であっても、シート状化粧料が潰れて溶解性が低下したり、シート状化粧料が指に貼り付いて所望の位置へ上手に載せることができなかったりして、利用者に大きな不満が残ることがあった。
【０００５】
また、ピンセットで摘んで移載したり、粘着部に貼り付けて移載したりすることも可能であるが、前者の場合には、ピンセットで摘んだときに、シート状化粧料が潰れてしまい、溶解性が低下するという問題があるとともに、ピンセットの先端部で顔を傷つけてしまうことも懸念され、後者の場合には、粘着力が強いと移載できず、粘着力が弱いと途中で落下してしまうという問題があり、粘着力を適正にコントロールすることが大変難しいという問題があった。
【０００６】
本発明の目的は、容易に且つ安定的に所望箇所へ載せ換え可能なシート状化粧料取り出し具を提供することである。
【課題を解決するための手段】
【０００７】
本発明に係るシート状化粧料取り出し具は、凍結乾燥してなる水溶性の多孔質体からなるシート状化粧料を収納ケースから取り出すための取り出し具であって、手で把持するための持ち手部と、前記持ち手部の先端部に設けられ、前記シート状化粧料に突き刺して、該シート状化粧料を保持する刺突部とを備えたものである。
【０００８】
このシート状化粧料取り出し具を用いて、例えば目尻や眉間、目の下や額、口元など、皺やしみが発生し易く、お手入れしたいスキンケア箇所に、該シート状化粧料を移載する際には、予めスキンケア箇所に化粧液を塗布するとともに、刺突部をシート状化粧料に突き刺して、シート状化粧料取り出し具にシート状化粧料を保持させ、収納ケースからシート状化粧料を取り出して、化粧水を塗布したスキンケア箇所にシート状化粧料を載置する。すると、シート状化粧料が化粧液に貼り付いて溶解しだし、溶解途中で刺突部をシート状化粧料から抜き取る方向へ移動させることで、シート状化粧料が前記スキンケア箇所に移載されることになる。こうして、シート状化粧料をスキンケア箇所の化粧液に溶かして、スキンケア箇所に指でなじませ、スキンケア箇所の皮膚に浸透させることになる。
【０００９】
このように、このシート状化粧料取り出し具では、刺突部をシート状化粧料に突き刺して、シート状化粧料を取り出し具に保持するので、シート状化粧料を指で摘んだり、ピンセットで摘んだりする場合のように、シート状化粧料が潰れてしまうことを防止して、シート状化粧料の溶解が円滑になされなくなるという問題の発生を未然に防止できる。また、化粧液を塗布したスキンケア箇所にシート状化粧料を載せると、シート状化粧料がスキンケア箇所に密着するとともに、シート状化粧料に化粧液が浸透して、シート状化粧料が軟化して溶解するので、刺突部に対するシート状化粧料の引き抜き強度を高めて、移載途中におけるシート状化粧料の脱落を防止しつつ、スキンケア箇所に移載したシート状化粧料から刺突部を容易に引き抜くことが可能となる。
【００１０】
ここで、前記刺突部が複数本の繊維材からなることが好ましい実施の形態である。シート状化粧料は、前述のように多孔質体なので、刺突部を繊維材で構成することで、シート状化粧料の微細孔に繊維材を突き刺して、刺突部にシート状化粧料を円滑に保持できる。しかも、繊維材の直径を適正に設定することで、シート状化粧料の刺突部からの引き抜き強度を容易に調整できる。
【００１１】
前記刺突部としての複数本の繊維材を相互に角度を付けて配置することも好ましい実施の形態である。このように構成することで、繊維材によるシート状化粧料の保持力を高めて、移載途中におけるシート状化粧料の脱落を効果的に防止できる。
【００１２】
前記刺突部が、複数本の繊維材を芯材に対して放射状に設けてなるブラシ体からなることも好ましい実施の形態である。このように構成することで、刺突部を構成する複数の繊維材に相互に角度を付けて、シート状化粧料の保持力を容易に高めることができる。
【００１３】
前記刺突部が、前記持ち手部の先端部に設けた植毛台と、前記植毛台に複数植設される、複数本の繊維材を束ねた毛束とを有するブラシ体からなることも好ましい実施の形態である。このような構成の刺突部は、歯ブラシの植毛台に対する毛束の植設技術を利用して容易に設けることができる。
【００１４】
前記刺突部が、複数本の繊維材を束ねた毛束からなるブラシ体からなることも好ましい実施の形態である。このような構成の刺突部は、毛筆の製造技術を利用して容易に設けることができる。
【００１５】
前記刺突部を複数個設けて、前記シート状化粧料の複数個所を保持可能となすことも好ましい実施の形態である。このように、複数個の刺突部を形成すると、大きなシート状化粧料を保持することができる。
【００１６】
刺突部を繊維材で構成する代わりに、前記持ち手部に、前記刺突部としての突起を一体成形することもできる。この場合には、シート状化粧料取り出し具の製作コストを大幅に安くすることができる。
【００１７】
前記刺突部を金型のパーティングラインに沿って形成することが好ましい。このように構成することで、成形品のパーティングラインに沿って形成される小突起を刺突部として利用することができる。
【発明の効果】
【００１８】
本発明に係るシート状化粧料取り出し具によれば、刺突部をシート状化粧料に突き刺して、シート状化粧料を取り出し具に保持するので、シート状化粧料を指で摘んだり、ピンセットで摘んだりする場合のように、シート状化粧料が潰れてしまうことを防止して、シート状化粧料の溶解が円滑になされなくなるという問題の発生を未然に防止できる。また、化粧液を塗布したスキンケア箇所にシート状化粧料を載せると、シート状化粧料がスキンケア箇所に密着するとともに、シート状化粧料に化粧液が浸透して、シート状化粧料が軟化して溶解するので、刺突部に対するシート状化粧料の引き抜き強度を高めて、移載途中におけるシート状化粧料の脱落を防止しつつ、スキンケア箇所に移載したシート状化粧料から刺突部を容易に引き抜くことが可能となる。
【図面の簡単な説明】
【００１９】
【図１】第１の取り出し具の斜視図
【図２】同取り出し具の一部切欠正面図
【図３】収納ケースからのシート状化粧料の取り出し方法の説明図
【図４】他の構成の第１の取り出し具の斜視図
【図５】他の構成の第１の取り出し具の斜視図
【図６】他の構成の第１の取り出し具の斜視図
【図７】第２の取り出し具の斜視図
【図８】図７のVIII-VIII線断面図
【図９】第３の取り出し具の斜視図
【図１０】図９のX-X線断面図
【図１１】他の構成の第３の取り出し具の斜視図
【図１２】（ａ）〜（ｆ）は植設可能な各種繊維材の説明図
【図１３】第４の取り出し具の斜視図
【図１４】図１３のXIV-XIV線断面図
【図１５】同取り出し具の製造方法の説明図
【図１６】（ａ）〜（ｇ）は使用可能な各種突起部の構成の説明図
【図１７】シート状化粧料の適用部位の説明図
【発明を実施するための形態】
【００２０】
以下、本発明の実施の形態について図面を参照しながら説明する。
図１〜図１６に示すように、シート状化粧料取り出し具１０は、凍結乾燥してなる水溶性の多孔質体からなるシート状化粧料１を収納ケース２から取り出すための取り出し具であって、手で把持するための持ち手部１１と、持ち手部１１の先端部に設けられ、シート状化粧料１に突き刺して、該シート状化粧料１を保持する刺突部１２とを備えている。
【００２１】
シート状化粧料１は、コラーゲンなどの保湿成分の水溶液を凍結乾燥して製作した水溶性の多孔質体で構成されている。シート状化粧料１の形状は、お手入れしたいスキンケア箇所に適合した、円形や楕円形や涙形などの任意の形状に形成することができる。例えば、図１７に示すように、目尻や眉間には円形のシート状化粧料１Ａ、１Ｂを用い、目の下には涙形のシート状化粧料１Ｃ、１Ｄを用い、額には小判形のシート状化粧料１Ｅを用い、口元には楕円形のシート状化粧料１Ｆを用いることができる。このシート状化粧料１を使用する際には、化粧水を所望のスキンケア箇所に塗布した後、該スキンケア箇所にシート状化粧料１を載せて、シート状化粧料１を化粧水で溶かし、保湿成分等を皮膚に浸透させることになる。
【００２２】
取り出し具１０は、刺突部１２の構成により次の４つのタイプに大別される。
第１の取り出し具２０、２０Ａ、２０Ｂ、２０Ｃは、図１〜図６に示すように、複数本の繊維材を芯材に対して放射状に設けてなるブラシ体からなる刺突部２２を備えたものであり、第２の取り出し具３０は、図７、図８に示すように、複数本の繊維材を束ねたブラシ体からなる刺突部３２を備えたものであり、第３の取り出し具４０、４０Ａは、図９〜図１２に示すように、持ち手部４１、４１Ａの先端部に設けた植毛台４６、４６Ａに、複数本の繊維材４３を束ねた毛束を植設したブラシ体からなる刺突部４２、４２Ａを備えたものあり、第４の取り出し具５０は、図１３〜図１６に示すように、持ち手部１１の先端部に一体成形した突起からなる刺突部５２を備えたものである。
【００２３】
（第１の取り出し具）
図１〜図３に示す第１の取り出し具２０は、手で持って操作するための持ち手部２１と、複数本の繊維材２３を芯材２４に対して放射状に設けたブラシ体からなる刺突部２２とを備えている。
【００２４】
持ち手部２１は、棒状の本体部２５と、本体部２５の先端部をＵ字状に分岐させてなる１対のアーム部２６とを有し、合成樹脂の一体成形品で構成されている。なお、持ち手部２１としては、手で持って操作可能で、且つ、刺突部２２を架設状に支持可能なものであれば、任意の形状のものを採用することができる。
【００２５】
刺突部２２は、歯間ブラシのブラシ部と同様にして製作することができ、二つ折りにした金属細線間に複数本の繊維材２３を平行に配置した状態で、該金属細線を捩じって、金属細線からなる芯材２４に対して繊維材２３を放射状に設け、該繊維材２３を所定長さに毛切りしてなるブラシ体で構成されている。刺突部２２の両端部には芯材２４が突出状に設けられ、刺突部２２は、芯材２４の両端部をアーム部２６の両端部に埋設保持させることによって、持ち手部２１の両アーム部２６の先端部間に架設状に支持されている。
【００２６】
繊維材２３の素材としては、ポリアミド（ナイロン）、ポリエステル、ポリプロピレン、ポリエチレン、ポリエチレンテレフタレート（ＰＥＴ）、ポリブチレンテレフタレート（ＰＢＴ）、ポリトリメチレンテレフタレート（ＰＴＴ）、これらの樹脂の混合物その他の合成樹脂製のものを適宜選択できる。また、フィラメント内部に微粒子や化学物質などを添加してもよい。また芯材２４は、本例のように金属細線より構成する場合、ＳＵＳ３０４、ＳＵＳ３１６等のステンレス鋼線等が好適に採用でき、例えばマンガンを多く含むステンレス鋼線を用いることができ、その他、コバルト合金等を用いることもできる。
【００２７】
繊維材２３の直径は、シート状化粧料１への刺突性を向上して、０．１〜０．５ｍｍ、好ましくは０．２〜０．３５ｍｍのものを好適に採用できる。繊維材２３の先端部は、毛切りしたそのままの形状に構成することもできるし、先端部を鍵形に構成したり、球状に形成したりすることもできる。
【００２８】
この取り出し具２０では、本体部２５を指で摘んで、取り出し具２０を保持した状態で、図３に示すように、収納ケース２に収容されたシート状化粧料１に、取り出し具２０の刺突部２２を上側から押し当てて、刺突部２２の繊維材２３をシート状化粧料１に突き刺し、取り出し具２０にシート状化粧料１を保持することになる。そして、シート状化粧料１を保持した状態或いは保持する前に、所望のスキンケア箇所に化粧水を塗布し、該化粧水にシート状化粧料１を載せて、シート状化粧料１を化粧水で溶かし、保湿成分等を皮膚に浸透させることになる。また、化粧液を塗布したスキンケア箇所にシート状化粧料１を載せると、シート状化粧料１がスキンケア箇所に密着するとともに、シート状化粧料１に化粧液が浸透して、シート状化粧料１が軟化して溶解するので、刺突部２２に対するシート状化粧料１の引き抜き強度を高めて、移載途中におけるシート状化粧料１の脱落を防止しつつ、スキンケア箇所に移載したシート状化粧料１から刺突部２２を容易に引き抜くことが可能となる。また、この刺突部２２では、放射状に配置した繊維材２３にシート状化粧料１を突き刺して保持するので、移載途中等におけるシート状化粧料１の脱落を効果的に防止することができる。
【００２９】
次に、第１の取り出し具２０の構成を部分的に変更した他の実施例について説明する。なお、前記実施例の第１の取り出し具２０と同一部材には同一符号を付してその詳細な説明を省略する。
【００３０】
（１）図４に示す取り出し具２０Ａのように、前記刺突部２２をＵ字状に湾曲させてなる１対の刺突部２２Ａを設け、該刺突部２２Ａを両アーム部２６の先端部間に架設状に設けて、両刺突部２２Ａをシート状化粧料１の外縁に沿うように形成することもできる。この場合には、額等に使用する大型のシート状化粧料１であっても、安定性良く保持することができる。なお、両刺突部２２Ａは、シート状化粧料１の形状に応じて適宜設定することができ、円形や楕円形、涙形などに形成することもできる。
【００３１】
（２）図５に示す取り出し具２０Ｂのように、持ち手部２１に代えて、棒状の本体部２５Ｂと、本体部２５Ｂの先端部をＶ字状に分岐させてなる１対のアーム部２６Ｂとを有する持ち手部２１Ｂを設け、両アーム部２６Ｂの先端部に芯材２４の一端部を埋設させて、両アーム部２６Ｂの先端部に、前記刺突部２２と同様の構成の刺突部２２Ｂを片持ち状にそれぞれ設けることもできる。この場合には、比較的大型のシート状化粧料１であっても、安定性良く保持することができる。なお、本体部２５Ｂの先端部を二股状に分岐させたが、三股以上に分岐させて、その先端部に刺突部２２Ｂをそれぞれ設けることもできる。
【００３２】
（３）図６に示す取り出し具２０Ｃのように、持ち手部２１に代えて、棒状の本体部２５Ｃからなる持ち手部２１Ｃを設け、前記刺突部２２を環状に丸めてなる刺突部２２Ｃを設けて、該刺突部２２Ｃの両端部の芯材２４を本体部２５Ｃの先端部に埋設固定することもできる。この場合には、比較的大型のシート状化粧料１であっても、安定性良く保持することができる。なお、刺突部２２Ｃの形状は、シート状化粧料１の形状に応じて適宜設定することができ、円形や楕円形、涙形などに形成することもできる。
【００３３】
（第２の取り出し具）
図７、図８に示す第２の取り出し具３０は、手で持って操作可能な持ち手部３１と、持ち手部３１の先端部に設けた、複数本の繊維材３３を束ねたブラシ体からなる刺突部３２とを備えている。
【００３４】
持ち手部３１は、棒状の本体部３５と、本体部３５の先端部を二股状に分岐させてなる１対のアーム部３６とを有し、合成樹脂の一体成形品で構成されている。なお、持ち手部３１としては、手で持って操作可能で、且つ、刺突部３２を植設可能なものであれば、任意の形状のものを採用することができる。また、本実施例では、２本のアーム部３６の先端部に刺突部３２をそれぞれ取付けたが、シート状化粧料１の大きさに応じて、例えば小型のシート状化粧料１を保持する場合には、アーム部３６を省略して本体部３５の先端部に１つの刺突部３２を取り付けることも可能であるし、また大型のシート状化粧料１を保持する場合には、３本以上のアーム部３６を設けて、それぞれのアーム部３６の端部に刺突部３２を設けることも可能である。
【００３５】
刺突部３２は、ワンタフト歯ブラシのブラシ部と同様にして製作することができる。即ち、複数本の繊維材３３を束ねてなる毛束の一端部を加熱し、毛束の一端部に毛束よりもやや大径の焼玉３２ａを形成し、この焼玉３２ａにより複数本の繊維材３３を接合したものである。
【００３６】
アーム部３６に対する刺突部３２の固定構造について説明すると、図８に示すように、アーム部３６の先端部には小径の取付突部３７が形成され、取付突部３７には円筒状の固定筒３８が外嵌されている。取付突部３７の途中部には環状の係止突起３７ａが形成され、固定筒３８の内周面には係止突起３７ａに係合可能な環状の係合溝３８ａが形成され、固定筒３８は、係合溝３８ａに係止突起３７ａを係合させて、取付突部３７に軸方向に移動不能に外嵌されている。取付突部３７よりもやや先端側において固定筒３８の内周面には環状の段差部３８ｂが形成され、刺突部３２は、その先端部を固定筒３８の基端側から挿入した状態で、固定筒３８を取付突部３７に嵌合固定することで、取付突部３７と段差部３８ｂ間に焼玉３２ａの外周部を保持させて、アーム部３６の先端部に固定されている。ただし、刺突部３２は、上記した以外の固定構造にて固定することも可能である。
【００３７】
繊維材３３としては、前記第１の取り出し具２０の刺突部２２を構成する繊維材２３と同様の繊維材を採用することができる。刺突部３２を構成する複数本の繊維材３３は、相互に平行に配置することも可能であるが、先端側広がりの傾斜状に配置すると、シート状化粧料１に対して刺突部３２を突き刺した状態での保持強度を向上できるので好ましい。また、刺突部３２の先端部は、繊維材３３の長さ方向と直交する方向に毛切りしたが、先鋭に毛切りすることも可能である。
【００３８】
この取り出し具３０では、本体部３５を指で摘んで、取り出し具３０を保持した状態で、第１の取り出し具２０と同様に、収納ケース２に収容されたシート状化粧料１に、取り出し具３０の刺突部３２を上側から押し当てて、刺突部３２の繊維材３３をシート状化粧料１に突き刺し、取り出し具３０にシート状化粧料１を保持することになる。そして、シート状化粧料１を保持した状態或いは保持する前に、所望のスキンケア箇所に化粧水を塗布し、該化粧水にシート状化粧料１を載せて、シート状化粧料１を化粧水で溶かし、保湿成分等を皮膚に浸透させることになる。また、化粧液を塗布したスキンケア箇所にシート状化粧料１を載せると、シート状化粧料１がスキンケア箇所に密着するとともに、シート状化粧料１に化粧液が浸透して、シート状化粧料１が軟化して溶解するので、刺突部３２に対するシート状化粧料１の引き抜き強度を高めて、移載途中におけるシート状化粧料１の脱落を防止しつつ、スキンケア箇所に移載したシート状化粧料１から刺突部３２を容易に引き抜くことが可能となる。
【００３９】
（第３の取り出し具）
図９、図１０に示す第３の取り出し具４０は、手で持って操作可能な持ち手部４１と、持ち手部４１の先端部の植毛台４６に、複数本の繊維材４３を束ねた毛束を植設したブラシ体からなる刺突部４２とを備えたものである。
【００４０】
持ち手部４１は、棒状の本体部４５と、本体部４５の先端部に設けた環状の植毛台４６とを有し、合成樹脂の一体成形品で構成されている。なお、植毛台４６としては、毛束を植設して刺突部４２を構成可能なものであれば、シート状化粧料１の大きさや形状に応じて適宜設定することができ、円形や楕円形、涙形、直線状や湾曲状などに形成することもできる。例えば、図１１に示す第３の取り出し具４０Ａのように、持ち手部４１に代えて、本体部４５Ａの先端部に、本体部４５Ａに対して直交する細長い直線状の植毛台４６Ａを設けた持ち手部４１Ａを用い、該植毛台４６Ａに毛束を植設した刺突部４２Ａを設けることも可能である。
【００４１】
刺突部４２は、歯ブラシのブラシ部と同様に、複数の繊維材４３からなる毛束を植設して製作することができる。具体的には、植毛台４６の毛束の植設位置に対応させて植毛孔を形成し、複数本の繊維材４３を束ねて二つ折りにし、折り曲げ部の内側に平線を配置させた状態で、折り曲げ部を平線とともに植毛孔に圧入することで植設できる。
【００４２】
繊維材４３としては、前記第１の取り出し具２０における刺突部２２を構成する繊維材２３と同様の繊維材を採用することができる。刺突部４２を構成する複数本の繊維材４３は、相互に平行に配置することも可能であるが、先端側広がりの傾斜状に配置すると、シート状化粧料１に対して刺突部４２を突き刺した状態での保持強度を向上できるので好ましい。また、繊維材４３としては、図１２（ａ）に示すように、先端部を放射状に分岐させた繊維材４３Ａや、図１２（ｂ）に示すように、先端近傍部に繊維材４３の長さ方向に直交する複数の短繊維４７Ｂを、繊維材４３の長さ方向に間隔をあけて複数設けた繊維材４３Ｂや、図１２（ｃ）に示すように、Ｖ字状に配置した２本の短繊維４７Ｃを、先端近傍部に繊維材４３の長さ方向に間隔をあけて複数設けた繊維材４３Ｃや、図１２（ｄ）に示すように、倒立Ｖ字状に配置した２本の短繊維４７Ｄを、先端近傍部に繊維材４３の長さ方向に間隔をあけて複数設けた繊維材４３Ｄや、図１２（ｅ）に示すように、先端部を斜め下側へ折り曲げた繊維材４３Ｅや、図１２（ｆ）に示すように、波形状に成形した繊維材４３Ｆなどを、単体又は複数本束ねて植設することができる。
【００４３】
この第３の取り出し具４０では、本体部４５を指で摘んで、取り出し具４０を保持した状態で、第１の取り出し具２０と同様に、収納ケース２に収容されたシート状化粧料１に、取り出し具４０の刺突部４２を上側から押し当てて、刺突部４２の繊維材４３をシート状化粧料１に突き刺し、取り出し具４０にシート状化粧料１を保持することになる。そして、シート状化粧料１を保持した状態或いは保持する前に、所望のスキンケア箇所に化粧水を塗布し、該化粧水にシート状化粧料１を載せて、シート状化粧料１を化粧水で溶かし、保湿成分等を皮膚に浸透させることになる。また、化粧液を塗布したスキンケア箇所にシート状化粧料１を載せると、シート状化粧料１がスキンケア箇所に密着するとともに、シート状化粧料１に化粧液が浸透して、シート状化粧料１が軟化して溶解するので、刺突部４２に対するシート状化粧料１の引き抜き強度を高めて、移載途中におけるシート状化粧料１の脱落を防止しつつ、スキンケア箇所に移載したシート状化粧料１から刺突部４２を容易に引き抜くことが可能となる。
【００４４】
（第４の取り出し具）
図１３、図１４に示す第４の取り出し具５０は、手で持って操作可能な持ち手部５１と、持ち手部５１の先端部に一体成形した突起からなる刺突部５２とを備えている。
【００４５】
持ち手部５１は、棒状の本体部５５と、細長い直線状の保持部５６とを有し、合成樹脂の一体成形品で構成されている。なお、保持部５６としては、刺突部５２としての突起を一体成形可能なものであれば、シート状化粧料１の大きさや形状に応じて、適宜の大きさや形状に設定することができ、円形や楕円形、涙形、直線状や湾曲した曲線状などに形成することができる。
【００４６】
刺突部５２は、保持部５６に一体成形した突起から構成されている。具体的には、図１５に示すように、持ち手部５１を成形する金型６０、６１のパーティングライン６２に沿って延びる断面楔状の先鋭な突起を形成することができる。このようにパーティングライン６２に沿って刺突部５２としての突起を形成すると、先鋭な刺突部５２を容易に成形することができる。刺突部５２は、保持部５６に沿って連続的に延びる突起で構成することも可能であるし、保持部５６に点在させた複数の突起で構成することも可能である。刺突部５２としては、図１６（ａ）に示す刺突部５２Ａのように、先端部に球状部５７Ａを形成した突起からなるものや、図１６（ｂ）に示す刺突部５２Ｂのように、矢印形状の突起からなるものや、図１６（ｃ）に示す刺突部５２Ｃのように、先端部に側方へ突出する先鋭突起５７Ｃを形成した突起からなるものや、図１６（ｄ）に示す刺突部５２Ｄのように、先端近傍部の両側部に波形部５７Ｄを形成した突起からなるものや、図１６（ｅ）に示す刺突部５２Ｅのように、山形断面の突起からなるものや、図１６（ｆ）に示す刺突部５２Ａのように、矩形断面の突起からなるものや、図１６（ｇ）に示す刺突部５２Ｇのように、台形断面の突起からなるものなどを採用できる。
【００４７】
この第４の取り出し具５０では、本体部５５を指で摘んで、取り出し具５０を保持した状態で、第１の取り出し具２０と同様に、収納ケース２に収容されたシート状化粧料１に、取り出し具５０の刺突部５２を上側から押し当てて、刺突部５２の突起をシート状化粧料１に突き刺し、取り出し具５０にシート状化粧料１を保持することになる。そして、シート状化粧料１を保持した状態或いは保持する前に、所望のスキンケア箇所に化粧水を塗布し、該化粧水にシート状化粧料１を載せて、シート状化粧料１を化粧水で溶かし、保湿成分等を皮膚に浸透させることになる。また、化粧液を塗布したスキンケア箇所にシート状化粧料１を載せると、シート状化粧料１がスキンケア箇所に密着するとともに、シート状化粧料１に化粧液が浸透して、シート状化粧料１が軟化して溶解するので、刺突部５２に対するシート状化粧料１の引き抜き強度を高めて、移載途中におけるシート状化粧料１の脱落を防止しつつ、スキンケア箇所に移載したシート状化粧料１から刺突部５２を容易に引き抜くことが可能となる。しかも、持ち手部５１と刺突部５２とを一体成形品で構成しているので、繊維材４３で刺突部を構成する場合と比較して格段に安価に製作することができる。なお、前記刺突部は任意に組み合わせて持ち手部に設けることも可能である。
【００４８】
以上、本発明の実施形態について説明したが、本発明は前述した実施形態に何ら限定されるものではなく、本発明の要旨を逸脱しない範囲においてその構成を変更し得ることは勿論である。
【符号の説明】
【００４９】
１      シート状化粧料      １Ａ    シート状化粧料
１Ｂ    シート状化粧料      １Ｃ    シート状化粧料
１Ｅ    シート状化粧料      １Ｆ    シート状化粧料
２      収納ケース
１０    取り出し具          １１    持ち手部
１２    刺突部
２０    取り出し具          ２１    持ち手部
２２    刺突部              ２３    繊維材
２４    芯材                ２５    本体部
２６    アーム部
２０Ａ  取り出し具          ２２Ａ  刺突部
２０Ｂ  取り出し具          ２１Ｂ  持ち手部
２２Ｂ  刺突部              ２５Ｂ  本体部
２６Ｂ  アーム部
２０Ａ  取り出し具          ２１Ｃ  持ち手部
２２Ｃ  刺突部              ２５Ｃ  本体部
３０    取り出し具          ３１    持ち手部
３２    刺突部              ３２ａ  焼玉
３３    繊維材              ３５    本体部
３６    アーム部            ３７    取付突部
３７ａ  係止突起            ３８    固定筒
３８ａ  係合溝              ３８ｂ  段差部
４０    取り出し具          ４１    持ち手部
４２    刺突部              ４３    繊維材
４５    本体部              ４６    植毛台
４０Ａ  取り出し具          ４１Ａ  持ち手部
４２Ａ  刺突部              ４５Ａ  本体部
４６Ａ  植毛台
４３Ａ  繊維材              ４３Ｂ  繊維材
４３Ｃ  繊維材              ４３Ｄ  繊維材
４３Ｅ  繊維材              ４３Ｆ  繊維材
４７Ｂ  短繊維              ４７Ｃ  短繊維
４７Ｄ  短繊維
５０    取り出し具          ５１    持ち手部
５２    刺突部              ５５    本体部
５６    保持部              ６０    金型
６１    金型                ６２    パーティングライン
５２Ａ  刺突部              ５２Ｂ  刺突部
５２Ｃ  刺突部              ５２Ｄ  刺突部
５２Ｅ  刺突部              ５２Ｇ  刺突部
５７Ａ  球状部              ５７Ｃ  先鋭突起
５７Ｄ  波形部
【図１】
0005803226.tif 000002
【図２】
0005803226.tif 000003
【図３】
0005803226.tif 000004
【図４】
0005803226.tif 000005
【図５】
0005803226.tif 000006
【図６】
0005803226.tif 000007
【図７】
0005803226.tif 000008
【図８】
0005803226.tif 000009
【図９】
0005803226.tif 000010
【図１０】
0005803226.tif 000011
【図１１】
0005803226.tif 000012
【図１２】
0005803226.tif 000013
【図１３】
0005803226.tif 000014
【図１４】
0005803226.tif 000015
【図１５】
0005803226.tif 000016
【図１６】
0005803226.tif 000017
【図１７】
0005803226.tif 000018